(57)【要約】【課題】多数の配信画像の中から所望の画像をより効率的に探すことが可能なユーザインタフェースを提供すること。【解決手段】画像処理装置は、１以上の映像信号を入力する入力手段と、前記１以上の映像信号のそれぞれに対応する１以上の操作画像を含む表示画像を生成する生成手段と、前記表示画像に基づいて画像を表示する表示手段に前記表示画像を出力する出力手段と、備え、前記生成手段は、前記１以上の映像信号のそれぞれの種類が識別可能な状態で前記１以上の映像信号のそれぞれに対応する前記１以上の操作画像が表示されるように、前記表示画像を生成する。【選択図】図２
2019145921.tif 000002
【特許請求の範囲】
【請求項１】
１以上の映像信号を入力する入力手段と、
前記１以上の映像信号のそれぞれに対応する１以上の操作画像を含む表示画像を生成する生成手段と、
前記表示画像に基づいて画像を表示する表示手段に前記表示画像を出力する出力手段と、を備え、
前記生成手段は、前記１以上の映像信号のそれぞれの種類が識別可能な状態で前記１以上の映像信号のそれぞれに対応する前記１以上の操作画像が表示されるように、前記表示画像を生成することを特徴とする画像処理装置。
【請求項２】
前記種類は、映像信号を出力した出力装置が属するネットワークグループ、映像信号を出力した出力装置の種別、映像信号に含まれる映像データの解像度、映像信号のフレームレート、色域、およびダイナミックレンジのうち１以上の情報から決定される映像信号のタイプであることを特徴とする請求項１に記載の画像処理装置。
【請求項３】
前記生成手段は、第１種類の映像信号に対応する操作画像を前記表示画像の第１領域に配置し、前記第１種類と異なる第２種類の映像信号に対応する操作画像を前記表示画像の前記第１領域と異なる第２領域に配置することを特徴とする請求項１または２に記載の画像処理装置。
【請求項４】
前記生成手段は、第１種類の映像信号に対応する操作画像の一部を第１の色で着色し、前記第１種類と異なる第２種類の映像信号に対応する操作画像の一部を前記第１の色と異なる第２の色で着色して、前記表示画像を生成することを特徴とする請求項１または２に記載の画像処理装置。
【請求項５】
前記生成手段は、第１種類の映像信号に対応する操作画像に、前記第１種類を示す画像を合成し、前記第１種類と異なる第２種類の映像信号に対応する操作画像に、前記第２種類を示す画像を合成して、前記表示画像を生成することを特徴とする請求項１または２に記載の画像処理装置。
【請求項６】
前記生成手段は、第１種類の映像信号に対応する１以上の操作画像を重畳した画像を第１領域に配置し、前記第１種類と異なる第２種類の映像信号に対応する１以上の操作画像を重畳した画像を前記第１領域と異なる第２領域に配置して、前記表示画像を生成することを特徴とする請求項１または２に記載の画像処理装置。
【請求項７】
前記生成手段は、前記１以上の映像信号それぞれに付加された前記１以上の映像信号それぞれの種類を示す付加情報を取得する取得手段と、
前記付加情報に基づいて、前記１以上の映像信号を種類ごとに分類したグループを決定する決定手段と、
前記１以上の映像信号それぞれに対応する前記操作画像を作成する作成手段と、
決定されたグループに基づいて、前記１以上の映像信号それぞれに対応する前記操作画像が分類されて表示されるように前記操作画像を合成して前記表示画像を生成する合成手段と、
を備えることを特徴とする請求項１〜６のいずれか１項に記載の画像処理装置。
【請求項８】
前記付加情報は、映像信号を送信した出力装置が属するネットワークグループを表すネットワーク情報を含み、
前記決定手段は、前記ネットワーク情報に基づいて前記１以上の映像信号のグループを決定することを特徴とする請求項７に記載の画像処理装置。
【請求項９】
前記付加情報は、機器の種別を示す機器種別情報を含み、
前記決定手段は、前記機器種別情報に基づいて前記１以上の映像信号のグループを決定することを特徴とする請求項７または８に記載の画像処理装置。
【請求項１０】
前記付加情報は、出力装置から映像信号が送信される場合の送信信号のサイズ又は周波数特性を示す信号フォーマット情報を含み、
前記決定手段は、前記信号フォーマット情報に基づいて前記１以上の映像信号のグループを決定することを特徴とする請求項７〜９のいずれか１項に記載の画像処理装置。
【請求項１１】
前記付加情報は、出力装置から送信される映像信号に対して所定処理を行ってから映像信号を送信する連携機器に関する連携機器情報を含み、
前記作成手段は、さらに前記連携機器から送信された映像信号の操作画像を作成し、
前記合成手段は、出力装置の操作画像と、該出力装置と連携する連携機器の操作画像とが関連付けられて表示されるように、表示画像を生成することを特徴とする請求項７〜１０のいずれか１項に記載の画像処理装置。
【請求項１２】
前記合成手段は、出力装置の操作画像と、該出力装置と連携する連携機器の操作画像とが所定の範囲内に表示されるように、表示画像を生成することを特徴とする請求項１１に記載の画像処理装置。
【請求項１３】
前記合成手段は、出力装置の操作画像と、該出力装置と連携する連携機器の操作画像とのうち、解像度が低い方の操作画像の大きさが他方の操作画像よりも小さく表示されるように、表示画像を生成することを特徴とする請求項１１または１２に記載の画像処理装置。
【請求項１４】
前記作成手段は、前記映像信号に基づく画像のサイズを縮小した縮小画像データを、操作画像として作成することを特徴とする請求項１１〜１３のいずれか１項に記載の画像処理装置。
【請求項１５】
前記操作画像は、対応する映像信号を識別可能とする情報を含むアイコン画像であることを特徴とする請求項１〜請求項１４のいずれか１項に記載の画像処理装置。
【請求項１６】
前記表示画像に含まれる前記１以上の操作画像のうちいずれかを選択する選択手段をさらに備え、
前記生成手段は、前記選択された操作画像に対応する映像信号に基づく画像が前記表示手段において最大の面積で表示されるように、前記表示画像を生成することを特徴とする請求項１〜請求項１５のいずれか１項に記載の画像処理装置。
【請求項１７】
第１のローカルネットワークから送信される２以上の映像信号と、第２のローカルネットワークから送信される２以上の映像信号とを含む複数の映像信号を入力する入力手段と、
前記複数の映像信号のうちいずれかを選択するための前記複数の映像信号それぞれに対応する複数のアイコンを含む表示画像を生成する生成手段と、
前記表示画像に基づいて画像を表示する表示手段に、前記表示画像を出力する出力手段と、
を備え、
前記生成手段は、前記第１のローカルネットワークから送信される２以上の映像信号それぞれに対応する２以上のアイコンと、前記第２のローカルネットワークから送信される２以上の映像信号それぞれに対応する２以上のアイコンと、が識別可能に表示されるよう
に、前記複数のアイコンを配置して、前記表示画像を生成することを特徴とする画像処理装置。
【請求項１８】
１以上の映像信号を入力するステップと、
前記１以上の映像信号のそれぞれに対応する１以上の操作画像を含む表示画像を生成するステップと、
前記表示画像に基づいて画像を表示する表示手段に前記表示画像を出力するステップと、を有し、
前記生成するステップで、前記１以上の映像信号のそれぞれの種類が識別可能な状態で前記１以上の映像信号のそれぞれに対応する前記１以上の操作画像が表示されるように、前記表示画像を生成することを特徴とする画像処理装置の制御方法。
【請求項１９】
請求項１〜１７のいずれか１項に記載の画像処理装置の各手段としてコンピュータを機能させるためのプログラム。
【発明の詳細な説明】
【技術分野】
【０００１】
本発明は、複数の画像を合成して表示する画像処理に関するものである。
【背景技術】
【０００２】
業務用カメラの映像伝送は、同軸ケーブルを用いたＳＤＩ（serial Digital Interface）から、光ファイバー等を用いたネットワーク配信も普及しつつある。これは光ファイバー等を用いたネットワーク配信規格として、ＳＭＰＴＥ２１１０等の信号伝送規格が整備されつつあるためである。このネットワーク配信では、その特性を生かして、伝送路に複数の映像信号を重畳することが可能となる。
従来の同軸ケーブルを用いたＳＤＩ規格から、光ファイバーによるネットワーク配信に替わると、伝送路から映像を受信可能な表示装置等では、より多くの映像を表示することが求められると予測される。
一方で、多数の配信映像の中から見たい映像を探すためにユーザは映像を１つずつ画面に表示させて確認する必要があるが、高速ネットワークの普及により同時配信が可能な映像数が大幅に増加したため、ユーザへの負担が増加している。
【０００３】
多数の配信画像を受信した場合に各配信画像を縮小して縮小画像を生成し、１画面に縮小画像を並べて表示する方法がある。例えば、特許文献１には、複数のカメラで様々な角度から目標物を撮影する撮影環境が２以上ある場合に、複数の監視画像を撮影環境ごとにグルーピングし、合成して１画面に表示する技術が開示されている。また、特許文献２には、複数のカメラで撮影した各動画のアイコンと、各動画に対応する選択ボタンとを１画面に表示する技術が開示されている。
【先行技術文献】
【特許文献】
【０００４】
【特許文献１】特開２０１２−０１０２８６号公報
【特許文献２】特開２０１４−２２５１４８号公報
【発明の概要】
【発明が解決しようとする課題】
【０００５】
しかしながら、特許文献１及び特許文献２の技術を使って複数の縮小画像を生成し、１画面に縮小画像を並べて表示したとしても、縮小画像は元の配信画像よりも画質が低く、縮小画像から配信画像の内容を確認できない場合がある。縮小画像から配信画像の内容を確認できない場合、ユーザは画面に１つずつ配信画像を表示させて内容を確認する必要があり、煩雑である。
そこで本発明は、多数の配信画像の中から所望の画像をより効率的に探すことが可能なユーザインタフェースを提供することを目的とする。
【課題を解決するための手段】
【０００６】
本発明の第一態様は、１以上の映像信号を入力する入力手段と、前記１以上の映像信号のそれぞれに対応する１以上の操作画像を含む表示画像を生成する生成手段と、前記表示画像に基づいて画像を表示する表示手段に前記表示画像を出力する出力手段と、備え、前記生成手段は、前記１以上の映像信号のそれぞれの種類が識別可能な状態で前記１以上の映像信号のそれぞれに対応する前記１以上の操作画像が表示されるように、前記表示画像を生成する画像処理装置を提供する。
本発明の第二態様は、１以上の映像信号を入力するステップと、前記１以上の映像信号のそれぞれに対応する１以上の操作画像を含む表示画像を生成するステップと、前記表示
画像に基づいて画像を表示する表示手段に前記表示画像を出力するステップと、を有し、前記生成するステップで、前記１以上の映像信号のそれぞれの種類が識別可能な状態で前記１以上の映像信号のそれぞれに対応する前記１以上の操作画像が表示されるように、前記表示画像を生成することを特徴とする画像処理装置の制御方法を提供する。
本発明の第三態様は、第１のローカルネットワークから送信される２以上の映像信号と、第２のローカルネットワークから送信される２以上の映像信号を含む複数の映像信号を入力する入力手段と、前記複数の映像信号のうちいずれかを選択するための前記複数の映像信号それぞれに対応する複数のアイコンを含む表示画像を生成する生成手段と、前記表示画像に基づいて画像を表示する表示手段に、前記表示画像を出力する出力手段と、を備え、前記生成手段は、前記第１のローカルネットワークから送信される２以上の映像信号それぞれに対応する２以上のアイコンと、前記第２のローカルネットワークから送信される２以上の映像信号それぞれに対応する２以上のアイコンと、が識別可能に表示されるように、前記複数のアイコンを配置して、前記表示画像を生成することを特徴とする画像処理装置を提供する。
本発明の第四態様は、第一態様又は第三態様に記載の画像処理装置の各手段としてコンピュータを機能させるためのプログラムを提供する。
【発明の効果】
【０００７】
本発明によれば、多数の配信画像の中から所望の画像をより効率的に探すことができる。
【図面の簡単な説明】
【０００８】
【図１】実施例１の画像処理システムの全体構成の例を示す図である。
【図２】実施例１に係る画像処理装置の構成を説明するための図である。
【図３】合成画像の表示例を示す第１の図である。
【図４】画像処理装置の処理の流れの例を示すフロー図である。
【図５】実施例２の画像処理システムの全体構成の例を示す図である。
【図６】合成画像の表示例を示す第２の図である。
【図７】合成画像の表示例を示す第３の図である。
【図８】実施例４の画像処理システムの全体構成の例を示す図である。
【図９】合成画像の表示例を示す第４の図である。
【発明を実施するための形態】
【０００９】
以下、本発明の好ましい実施例について、図面を参照しながら詳細に説明する。各図において、同一の構成については原則として同一の参照番号をふり、重複する説明は省略する。また、説明を具体化するために例示する数値等は、特に言及しない限りは、これに限定するものではない。
また、本発明は以下の実施例に限定されるものではなく、その要旨を逸脱しない範囲において適宜変更可能である。例えば、本発明が適用される装置の構成や各種条件によって下記実施例の各構成が適宜修正又は変更されてもよい。
【００１０】
＜実施例１＞
（画像処理システムの構成）
図１Ａ及び図１Ｂは、実施例１の画像処理システム１００の全体構成の例を示す図である。図１Ａは、画像処理システム１００の全体構成を示す第１の図となっており、ＬＡＮ（ローカルネットワーク）１０及びＬＡＮ２０がネットワーク８を介して画像処理装置３０に接続される。ＬＡＮ１０には撮像装置１及び２が含まれ、各々の撮像装置で撮像された映像がネットワーク８を介して画像処理装置３０にリアルタイムに配信される。同様にＬＡＮ２０には撮像装置３〜５が含まれ、各々の撮像装置で撮像された映像がネットワーク８を介して画像処理装置３０に配信される。なお、ネットワーク８は、光ファイバー等
をベースとした高速通信ネットワークである。
【００１１】
また、ＬＡＮ１０及びＬＡＮ２０から画像処理装置３０に複数の映像を同時配信することも可能である。例えば、ＬＡＮ１０の撮像装置１から映像信号１が送信され、ＬＡＮ２０の撮像装置３から映像信号２が送信された場合、通信線５ａで映像信号１及び映像信号２が多重化されて画像処理装置３０にリアルタイムに配信されることになる。さらに、同様にしてＬＡＮ１０の２つの撮像装置、ＬＡＮ２０の３つの撮像装置の合計５つの撮像装置から画像処理装置３０に同時に５つの映像信号をリアルタイムに配信することも可能である。
【００１２】
画像処理装置３０は、入力された映像信号を用いて、表示装置４０が表示するための表示画像を生成し、表示装置４０に表示画像を出力する。画像処理装置３０に複数の映像信号が入力された場合、画像処理装置３０は、複数の映像信号のうちいずれかを表示画像として、表示装置４０に出力することも可能である。また、画像処理装置３０は、表示装置４０を視聴するユーザが複数の映像信号のうちどの映像信号を視聴するかを選択するＧＵＩを含む表示画像を出力することができる。ここで、画像処理装置３０は、入力された映像信号に付加された映像信号の種類を示す付加情報に基づいて、各映像信号のグループを決定する。画像処理装置３０は、決定されたグループに含まれる映像信号に対応するアイコンを、各アイコンのグループの識別が可能な状態で表示されるように、表示画像を生成する。
ここで、アイコンは、映像信号に対応するものであり、ユーザが映像信号を識別することが可能であれば、画像、テキスト等、種々の形態をとることが可能である。例えば、アイコンは、サムネイル画像等の縮小画像データ、映像信号の内容を示すテキスト等であってもよい。また、アイコンは映像の一部を示す動画であってもよい。アイコンが動画である場合、通常時はアイコンに映像データの１シーンを示す静止画が表示されている状態となっており、アイコン上にカーソルを移動させた場合に動画が再生されるようにしてもよい。アイコンは、映像信号を出力した撮像装置を示す画像であってもよい。本実施例では、アイコンは、各映像信号に含まれる映像データのうち１つのフレーム（画像）を縮小した画像であり、映像を操作するための操作画像であるとする。ユーザは、アイコンを不図示の操作部を操作することによって選択することが可能である。なお、以下では映像信号に基づく画像に各アイコンを合成した画像を合成画像という。
以下で、画像処理装置３０の詳細について説明する。
【００１３】
複数の撮像装置から複数の映像信号を受信した場合、画像処理装置３０は、映像信号毎にアイコンを生成する。例えば、図１Ａに示すように、５つの撮像装置の各々から同時に映像信号を受信した場合、画像処理装置３０は、５つの撮像装置に対応する５つの映像信号から５つのアイコンを生成する。
続いて、画像処理装置３０は、５つのアイコンを１画面内に収まるように合成した合成画像データを生成し、表示装置４０に出力する。このとき、表示装置４０には、後述する方法により２つのグループに分類された状態で５つのアイコンが表示される。
【００１４】
図１Ｂは、画像処理システム１００の全体構成を示す第２の図である。図１Ｂを用いて撮像装置１〜５及び表示装置４０の構成について説明する。なお、図１Ｂでは、ネットワーク８を省略している。
撮像装置（送信元装置）１〜５は、映像を撮像する撮像装置であり、撮影中の映像を映像信号として画像処理装置３０にリアルタイムに送信する。撮像装置１は、撮像部１ａ及び送信部１ｂを有する。撮像部１ａは撮像した映像を送信部１ｂに出力し、送信部１ｂが映像信号として画像処理装置３０に出力する。なお、撮像装置２〜５も撮像装置１と同様の構成であるため、符号を省略する。
【００１５】
画像処理装置３０は、撮像装置１〜５から送信された映像信号に基づいて５つのアイコンを１画面に収めた合成画像を生成する。画像処理装置３０は、画像処理後の画像を表示装置４０に出力する。なお、画像処理装置３０の処理に関しては後述する。
表示装置４０は、画像処理装置３０から出力された画像を表示する機能を有し、Ｉ／Ｆ４０ａ、受信部４０ｂ、出力部４０ｃ及び表示領域４０ｄを備える。受信部４０ｂは、Ｉ／Ｆ４０ａを介して画像処理装置３０から合成画像データを受信し、出力部４０ｃに合成画像を出力する。続いて、出力部４０ｃは、表示領域４０ｄに合成画像を表示させる。なお、表示領域４０ｄは、液晶表示パネルの他、ＥＬ素子、ＭＥＭＳシャッター方式の表示パネルであってもよい。
【００１６】
図２Ａ〜図２Ｃは、実施例１に係る画像処理装置３０の構成を説明するための図である。図２Ａを用いて画像処理装置３０の構成を説明する。
画像処理装置３０は、入力部２３０、表示制御部２３５、生成部２３６及び選択部２３７を有する。また、生成部２３６は、取得部２３１、アイコン作成部２３２、分類部２３３及び合成部２３４を有する。
入力部２３０は、ネットワークを介して複数の撮像装置１〜５から送信された映像信号を入力する。
取得部２３１は、受信した映像信号から映像データと付加情報とを取得する。映像データとは、撮像装置１〜５によって撮像された映像のデータであり、映像信号に含まれる。
【００１７】
付加情報は、映像信号の種類を示す情報であり、映像信号に紐付けられる。例えば、付加情報は、ＩＰアドレス、ＭＡＣアドレス等のネットワークアドレス等の撮像装置１〜５が属するネットワークグループ（ＬＡＮ等）を示すネットワーク情報を含む。
また、付加情報は、カメラやサーバ等の出力装置の機器の種別を示す機器種別情報、送信元装置と連携して動作している機器の連携機器情報、撮像装置が設置されたスタジオを示す設置場所の情報であってもよい。また、付加情報は、映像信号の解像度、フレームレート、色域、ダイナミックレンジ等から決定される映像信号のタイプを示す信号フォーマットの情報であってもよい。なお、付加情報には、上述の情報が２以上含まれてもよい。
【００１８】
映像信号のデータ構造の例は、図２Ｂ及び図２Ｃに示される。図２Ｂは、映像信号の第１の例を示しており、この例では１つの映像信号の中に付加情報と映像データとが含まれる。付加情報は映像信号のヘッダ部の領域に含まれ、一方で映像データはデータ部の領域に含まれる。
図２Ｃは、映像信号の第２の例を示しており、この例では、映像データと付加情報とが別のデータとなっている。映像データには、映像データを一意に識別するための識別情報が付加される一方で、付加情報には、対応する映像データに対応付けるための対応情報が付加される。識別情報及び対応情報により映像データと付加情報とが対応付けられる。なお、映像信号は図２Ｂ及び図２Ｃ以外のデータ構造であってもよい。
【００１９】
生成部２３６は、複数の映像信号に対応する複数のアイコンを含む合成画像を生成する。生成部２３６は、１以上の映像信号のそれぞれの種類が識別可能な状態で１以上の映像信号のそれぞれに対応する１以上の操作画像が表示されるように、合成画像を生成する。具体的な処理に関しては、以下の取得部２３１、アイコン作成部２３２、分類部２３３及び合成部２３４の部分で説明する。
取得部２３１は、映像信号のデータ部から映像データを取得し、映像信号のヘッダ部からそれぞれの映像信号の種類を示す付加情報を取得し、映像データをアイコン作成部２３２に送信し、付加情報を分類部２３３に送信する。
アイコン作成部２３２は、１以上の映像信号それぞれに対応するアイコンを映像データに基づいて作成し、合成部２３４に出力する。アイコン作成部２３２は、例えば、映像データの１フレーム分の画像を縮小してアイコンを作成する。
分類部２３３（決定手段）は、付加情報に基づいて１以上の映像信号のグループを決定する。グループは、映像信号の種類ごとに設けられる。分類部２３３は、付加情報に基づいて映像データを送信元のＬＡＮ毎にグループ分けし、アイコンをグループ毎に表示するためのグループ情報を生成する。グループ情報とは、映像データが属するグループを示す情報であり、本実施例では画像データを送信した撮像装置が属するＬＡＮ（ネットワークグループ）を示す情報であるものとする。
具体的には、分類部２３３は、付加情報に含まれるＩＰアドレスに基づいてネットワーククラスを判定し、ネットワーククラスに基づいてＩＰアドレスの中のネットワーク部を特定する。分類部２３３は、ネットワーク部を参照することで同じＬＡＮから送信された映像データを判別することが可能である。分類部２３３は、映像データの送信元のＬＡＮ毎に映像データのグループを決定する。
【００２０】
例えば、付加情報に「１９２．１６８．０．５」が含まれる映像信号と、「１９２．１６８．１．５」が含まれる映像信号がある場合、分類部２３３は、ＩＰアドレスの最初の数字「１９２」に基づいてネットワーククラスがクラスＣであると判定する。したがって、ＩＰアドレスの３つ目の数字まで（２進数で１２桁目）がネットワーク部ということになる。次に、分類部２３３は、ネットワーク部「１９２．１６８．０」と「１９２．１６８．１」とが異なることから、異なるＬＡＮから送信された映像信号であることになり、各映像信号を別々のグループとする。
図１Ｂの例の場合、ＬＡＮ１０に含まれる撮像装置１及び撮像装置２から送信された映像信号をグループ１とし、ＬＡＮ２０に含まれる撮像装置３〜５から送信された映像データをグループ２とする。
【００２１】
合成部２３４は、映像データのグループに応じて、映像データに対応するアイコン画像がグループ毎に識別可能に表示されるように、グループ毎にアイコンを配置して合成した合成画像データを生成する。
例えば、合成部２３４は、第１種類の映像信号に対応するアイコンを第１領域に配置し、第１種類と異なる第２種類の映像信号に対応するアイコンを表示画像の第１領域と異なる第２領域に配置して合成する。なお、表示例は後述の図３Ａに示される。
また、合成部２３４は、第１種類の映像信号に対応するアイコンの一部を第１の色で着色し、第１種類と異なる前記第２種類の映像信号に対応するアイコンの一部を第１の色と異なる第２の色で着色して、合成画像を生成してもよい。例えば、合成部２３４は、ＬＡＮ１０から受信した映像信号に対応するアイコンを赤色とし、ＬＡＮ２０から受信した映像信号に対応するアイコンを青色に着色し、色分けする。
また、合成部２３４は、第１種類の映像信号に対応するアイコンに、第１種類を示す画像を合成し、第１種類と異なる第２種類の映像信号に対応するアイコンに、第２種類を示す画像を合成して、合成画像を生成してもよい。例えば、第１種類及び第２種類の映像信号に対応するアイコンを区分するための枠線の画像をアイコンとは別に表示するようにしてもよい。例えば、合成部２３４は、図３Ａの枠線３０１、枠線３０２のような画像を表示してもよい。
また、合成部２３４は、第１種類の映像信号に対応するアイコンを重畳した画像を第１領域に配置し、第１種類と異なる第２種類の映像信号に対応するアイコンを重畳した画像を第１領域と異なる第２領域に配置して、合成画像を生成してもよい。すなわち、映像信号のアイコンを、同じ種類の他の映像信号のアイコンに一部重畳させることで、映像信号の種類を識別できるようにしてもよい。
本実施例では、合成部２３４は、ＬＡＮ１０から送信される映像信号のアイコンと、ＬＡＮ２０から送信される映像信号のアイコンとが識別可能に表示されるように、複数のアイコンを配置した合成画像を生成する。
そして、合成部２３４は、合成画像データを表示制御部２３５に出力する。
【００２２】
また、合成部２３４は、合成画像として一画面に表示されるアイコンの数に応じてアイコンのサイズを決定してもよい。例えば、合成部２３４は、一画面に表示されるアイコンが比較的多い場合は、各アイコンのサイズを小さくする。
表示制御部２３５（出力手段）は、合成画像データを表示装置４０に出力し、合成画像を表示させる。
選択部２３７は、タッチパッド、マウス、タッチパネル等のデバイスからアイコンの選択操作を受付ける。選択されたアイコンの画像が表示装置４０において最大の面積で表示されるようになる。
以下、合成画像の表示例について説明する。
【００２３】
図３Ａ、図３Ｂ及び図３Ｃは、合成画像の表示例を示す第１の図である。図３Ａ及び図３Ｂは、本実施例の合成画像を示しており、図３Ｃは、従来例の合成画像を示している。映像１〜５は、図１Ｂの撮像装置１〜５から出力された映像信号に対応するアイコンである。
図３Ｃの従来例では、映像１〜５のアイコンを単純に並べた合成画像が表示装置４０の表示領域に表紙される。図３Ｃでは、どのネットワークから送信された映像であるかを判別することができない。したがって、ユーザが映像１〜５のアイコンを見て映像データの内容が判別できない場合には、元の映像データを再生して映像の内容を確認する必要がある。
【００２４】
これに対して、図３Ａでは、映像１〜５のアイコンがグループ別に表示装置４０に表示される。図３Ａでは、ＬＡＮ１０に属する撮像装置１及び２に対応する映像１及び２のアイコンが画面の左端に縦方向に並べて表示され、さらに映像１及び２のアイコンを囲む点線の枠３０１が表示される。一方で、ＬＡＮ２０に属する撮像装置３〜５に対応する映像３〜５のアイコンが画面の右端に縦方向に並べて表示され、映像３〜５のアイコンを囲む点線の枠３０２が表示される。なお、図３Ａは、本実施例の合成画像の一例にすぎず、映像１及び２と映像３〜５とを上下に分けて横方向に並べて表示してもよい。また、枠３０１及び枠３０２を表示しなくてもよい。また、グループが３つある場合は、画面の左上の隅、右上の隅、下側に分けてアイコンを表示してもよく、グループが４つある場合は、アイコンを画面の四隅に分けて表示してもよい。
【００２５】
また、図３Ａの映像１〜５のアイコンは、選択部２３７を介してクリックで選択することができ、選択されたアイコンの映像が画面全体に最大限の大きさで表示される。
図３Ｂは、図３Ａで映像１のアイコンが選択された場合の合成画像の表示例である。図３Ｂでは、画面全体に最大限の大きさで映像１の元の映像が表示される。すなわち、撮像装置１から出力された映像データに基づく画像が表示される。このとき、枠３０１内から映像１が削除されている。なお、映像１を示すアイコンは、映像１が選択された状態であっても、表示が継続されていてもよい。
【００２６】
図３Ｂの表示状態において、ユーザは、映像２〜５のいずれかのアイコンを選択することが可能である。選択部２３７は、タッチパッド、マウス、タッチパネル等のデバイスからユーザからの操作指示を受付ける。ユーザが選択部２３７を用いて映像２〜５のいずれかのアイコンを選択した場合、合成部２３４は、選択されたアイコンの映像が画面に最大の面積で拡大して表示されるように合成画像を生成する。このとき、映像１のアイコンが再表示され、選択されたアイコンが削除される。このように、アイコンを選択することで映像を切り替えて表示することができる。
【００２７】
図４は、画像処理装置３０の処理の流れの例を示すフロー図である。ステップＳ４１で取得部２３１は、撮像装置１〜５から受信したそれぞれの映像信号から付加情報を検出する。
ステップＳ４２で分類部２３３は、付加情報に基づいて映像データをグループ分けする。なお、上述した例では、ＩＰアドレスの先頭の数値に基づいてＩＰアドレスのネットワーク部を特定し、ネットワーク部毎にグループ分けする方法について説明した。
【００２８】
ステップＳ４３でアイコン作成部２３２は、映像データに基づいてアイコンを作成する。上述したようにアイコン作成部２３２は、例えば、映像データに含まれるフレーム画像を縮小してアイコンを作成する。
ステップＳ４４で合成部２３４は、作成されたアイコン及びグループ情報に基づいて合成画像を生成する。
ステップＳ４５で表示制御部２３５は、合成部２３４によって生成された合成画像を表示装置４０に表示させる。なお、図３Ａ及び図３Ｂには、グループ情報に基づいて、アイコンをグループ毎に表示領域の左右に分けて表示する例が示されている。
【００２９】
以上の処理のように、本実施例では、画像処理装置３０は、ＬＡＮ毎に配信された映像をグループ分けする。同じＬＡＮから配信された映像は互いに類似する内容の映像であることが多いため、同じグループ内の映像は類似する内容の映像である可能性が高い。そして、画像処理装置３０は、映像のグループ毎に映像のアイコンを分けて配置した合成画像を生成し、ユーザインタフェースとして画面に表示させる。したがって、本実施例のユーザインタフェースを用いれば、多数の配信画像の中から所望の画像をより効率的に探すことができる。
【００３０】
（変形例）
クラスＡ及びクラスＢの規模のネットワークでは、ネットワークを管理しやすくするため、サブネットマスクを用いてサブネットという小グループに分けられる場合がある。このような場合に、付加情報にサブネットマスク（クラス情報）を追加し、ＩＰアドレス及びサブネットマスクに基づいてサブネット毎にグループ分けを行ってもよい。
例えば、３２ビットのＩＰｖ４のＩＰアドレスのうち、クラスＢのネットワークでは、０〜１６ビット目までがネットワーク部となり、１７〜３２ビット目までがホスト部となる。ネットワーク管理者がこのＩＰアドレスの１７〜３２ビット目までのうち、１７〜２０ビットまでをサブネット部とした場合、２１〜３２ビット目までがホスト部となる。
【００３１】
サブネット部とは、１つのネットワークを複数のサブネットに分けた場合のサブネットのアドレス情報である。また、サブネットマスクとは、ＩＰアドレスのサブネット部とホスト部との区切りを示す情報である。
例えば、１７〜２０ビットまでをサブネット部に割り当てた場合、サブネットマスクは「１１１１１１１１．１１１１１１１１．１１１１００００．００００００００」のビット列となり、「１」と「０」の境界がサブネット部とホスト部との区切りに該当する。分類部２３３は、付加情報のＩＰアドレスとサブネットマスクとをＡＮＤ演算することでネットワーク部及びサブネット部を抽出し、グループ分けを行う。
【００３２】
この場合に、分類部２３３は、ＩＰアドレスのネットワーク部に基づいて大グループのグループ分けし、同じ大グループ内で、さらにサブネット部に基づいて小グループのグループ分けを行ってもよい。すなわち、分類部２３３は、２階層のグループ分けを行ってもよい。例えば、同じ演奏会を撮影している複数の撮像装置を大グループに分類し、さらに、演奏者側を撮影している撮像装置を小グループ１に分類し、観客側を撮影している撮像装置を小グループ２に分類する。
【００３３】
また、２階層のグループ分けが行われた場合、合成部２３４は、映像データの大グループ及び小グループが判別可能となるように合成画像を生成してもよい。例えば、合成部２３４は、大グループ毎にアイコンを赤色の枠で囲い、さらに小グループ毎にアイコンを黄
色の枠で囲ってもよい。
【００３４】
また、付加情報は、ＩＰアドレス以外の情報であってもよいことを説明したが、付加情報は、機器種別情報、連携機器情報又は信号フォーマット情報等であってもよい。
機器種別情報とは、カメラやサーバ等の機器の種別を示す情報である。付加情報に機器種別情報が含まれる場合、分類部２３３は、通常のＰＣ端末、ワークステーション、サーバ等の機器の種別ごとにグループ分けすることが可能である。
また、連携機器情報とは、送信元装置と連携して動作する連携機器に関する情報であり、具体的には、送信元装置から送信される画像データに対して所定処理を行ってから画像データを配信する機器を示す情報である。付加情報に連携機器情報が含まれる場合、分類部２３３は、同じグループ内で送信元装置の映像データと、該送信元装置と連携する連携機器の映像データとを関連付ける。なお、この場合の合成画像の表示例は、図６Ａ〜図６Ｃ等に示されている。詳細は実施例２で説明する。
また、信号フォーマット情報とは、映像信号（送信信号）のサイズや周波数特性を示す情報であり、例えば、解像度、フレームレート等の情報である。付加情報に信号フォーマット情報が含まれる場合、分類部２３３は、信号フォーマット毎にグループ分けすることが可能である。
【００３５】
また、付加情報は、送信元装置の設置場所を示す設置場所情報を有してもよい。例えば付加情報に、送信元装置が設置されているスタジオの識別番号が含まれてもよい。
また、付加情報に、送信元装置の属するネットワークグループの識別番号が含まれてもよい。ネットワークグループの識別番号をＩＰアドレスと同様にグループ分けに使うことができる。
また、本実施例ではＩＰｖ４のプロトコルを使う例を説明したが、ＩＰｖ６のプロトコルを使ってもよい。
なお、分類部２３３は、複数の映像信号を、上述のようにそれぞれの付加情報が示すＩＰアドレスを用いてグループ分けしたのち、各グループに対して信号フォーマットごとにサブグループを生成することも可能である。これにより、例えば、同じＬＡＮに属する複数の撮像装置のうち同一の信号フォーマット（例えば、解像度）の映像データを含む映像信号に対応するアイコンをまとめて表示することが可能となる。
また、ＩＰアドレスを用いずに、信号フォーマットを示す付加情報を用いて、映像信号のグループを決定することも可能である。これにより、ユーザは、例えば４Ｋ解像度の映像データを含む映像信号のグループとＦＨＤの映像データを含む映像信号のグループとを、容易に区別して認識することが可能となる。
つまり、映像信号の種類ごとにグループを決定する際に参照する付加情報の種類はＩＰアドレスに限定されず、また、１以上の種類の付加情報を用いてグループを決定することが可能である。
なお、本実施例では、グループごとに設定された枠の中に当該グループに含まれる映像信号に対応するアイコンが含まれるように表示映像信号を生成したが、グループの識別が可能な状態でアイコンを表示する方法はこれに限定されない。例えば、グループごとに設定した色で、各アイコンの一部を着色することで、各映像信号が含まれるグループを識別可能にしてもよい。また、グループ分けに用いた付加情報を示すアイコンを、各映像信号に対応するアイコンに重畳して表示してもよい。グループ分けに用いた付加情報を示すアイコンは、例えば、ＬＡＮごとに設定されたネットワーク名、解像度、フレームレート等の情報を示すアイコンである。
また、同一のグループに属する映像信号に対応するアイコンを、グループごとに重ね合わせて表示するようにして、表示映像信号を生成することも可能である。  
【００３６】
＜実施例２＞
図５Ａ及び図５Ｂは、実施例２の画像処理システム２００の全体構成の例を示す図であ
る。なお、実施例１と同様の構成については、同じ符号を付し、説明を省略する。実施例２では、ＬＡＮ１０’に撮像制御装置７が含まれ、撮像制御装置７が映像配信ネットワーク９を介して画質を低下させた映像信号を画像処理装置３０に送信する点で実施例１と異なる。
撮像制御装置７は、撮像装置１から映像信号を受け取り、異なる映像フォーマットに変換する機能を有する装置である。撮像制御装置７は、ネットワーク８とは異なる映像配信ネットワーク９に接続されており、撮像装置１から受信した映像信号を低画質の映像フォーマットに変換した後、映像配信ネットワーク９を介して映像信号を画像処理装置３０に送信する。
【００３７】
本実施例では、撮像装置１〜５が４Ｋ/８Ｋ等の高解像画像を撮影できる撮像装置であ
り、撮像制御装置７が撮像装置１から受信した高解像度画像を、低解像度画像のＨＤフォーマットに変換するものとする。図５Ｂは、撮像制御装置７から送信された映像信号のデータ構造の例を示している。映像信号に付加情報と映像データとが含まれる点については、実施例１の図２Ｂと同様である。一方で、本実施例では付加情報に連携機器情報が含まれる点で実施例１の図２Ｂと異なる。連携機器情報とは、送信元装置と連携して動作する機器の情報であり、図５Ｂの例では、連携機器情報として撮像制御装置７の機器名が付加情報に含まれる。なお、連携機器情報は、連携機器が特定できれば機器名以外の情報であってもよく、連携機器のＩＰアドレス等であってもよい。
【００３８】
分類部２３３は、付加情報の撮像装置１のＩＰアドレスに基づいて、撮像制御装置７から送信された映像データを撮像装置１の映像データと同じグループに分類する。
さらに、分類部２３３は、付加情報の連携機器情報に基づいて撮像制御装置７から受信した映像データを、撮像装置１から受信した映像データに関連付け、グループ情報を生成する。本実施例では、グループ情報には関連映像データの送信元のＬＡＮの情報（ネットワーク情報）と、関連映像データに関連付けられた元の映像データの情報とが追加されることになる。なお、以下では、送信元装置から受信した映像データに関連付けられた映像データを関連映像データという。
【００３９】
また、付加情報に撮像装置１のＩＰアドレスが含まれるので、仮に撮像制御装置７がＬＡＮ１０’の外部のネットワークに属する場合でも、分類部２３３は、撮像制御装置７から受信した映像データを撮像装置１の映像データに関連付けることができる。したがって、撮影を行う会社と、撮影された映像を配信する会社が異なるネットワークに属し、それぞれの会社から別々に映像データが送信された場合にも、分類部２３３は、関連映像データの送信元のネットワークを容易に特定することができる。
【００４０】
アイコン作成部２３２は、関連映像データに基づいてアイコンを作成する。なお、撮像装置１から直接送信される映像データのアイコンも別途作成される。
合成部２３４は、グループ情報に基づいて関連映像データのアイコンと元の映像データのアイコンとを所定の範囲内に並べたり、２つのアイコンを一部重ねて表示したりするなど、元の映像データと関連映像データとの関連性が判別可能な合成画像を生成する。
【００４１】
図６Ａ〜図６Ｃは、合成画像の表示例を示す第２の図である。映像９は、撮像制御装置７を介して送信された関連映像データのアイコンである。
図６Ａの例では、ＬＡＮ１０’に属する撮像装置１及び２に対応する映像１及び２と、撮像制御装置７に対応する映像９のアイコンとが左側に並べて表示され、さらに映像１、２及び９を囲む点線の枠６０１が表示される。一方で、ＬＡＮ２０に属する撮像装置３〜５に対応する映像３〜５のアイコンが右端に並べて表示され、さらに映像３〜５を囲む点線の枠６０２が表示される。これにより、撮像制御装置７の映像データ（映像９）が撮像装置１の映像データ（映像１）と同じグループであることが分かる。
【００４２】
図６Ｂの例では、映像１のアイコンの右側に隣接する位置に映像９のアイコンが表示される。これにより、撮像制御装置７の映像データ（映像９）が撮像装置１の映像データ（映像１）の関連映像データであることが分かる。
図６Ｃの例では、映像１のアイコンの右下方向に映像９のアイコンが一部重ねて表示される。これにより、図６Ｂの例と同様に、撮像制御装置７の映像データ（映像９）が撮像装置１の映像データ（映像１）の関連映像データであることが分かる。
なお、図６Ａ〜図６Ｃの場合においても、アイコンが選択された場合は、表示制御部２３５は、図３Ｂのように画面全体に選択されたアイコンの映像を表示してもよい。
【００４３】
なお、本実施例の処理フローは、実施例１の図４の処理フローと比較してステップＳ４２及びＳ４４で異なる。具体的には、本実施例では、ステップＳ４２で分類部２３３が、付加情報に基づいて関連映像データに関連する映像データを特定する処理が追加される。そして、ステップ４４で合成部２３４が関連映像データと、関連映像データに関連する映像データとを関連付けた合成画像を生成する。これにより、図６Ａ〜図６Ｃの合成画像が生成される。
【００４４】
以上の処理で作成された図６Ａ〜図６Ｃのようなユーザインタフェースを用いれば、送信元の機器と連携する連携機器を介して関連画像データが送信された場合に、関連画像データのネットワークグループを容易に特定することができる。また、連携機器を介して送信された関連画像データの元の画像データを容易に特定することができる。したがって、複数の受信画像の中に関連画像データが含まれる場合であっても、配信された多数の画像データの中から所望の画像データをより効率的に探すことができる。
【００４５】
＜実施例３＞
本実施例では、受信した映像データの解像度が判別可能なユーザインタフェースについて説明する。本実施例のシステム構成は、実施例２の図５Ａと同様であるものとする。
実施例２では、撮像装置が１〜５が４Ｋ/８Ｋ等の高解像画像を撮影できる撮像装置で
あり、撮像制御装置７が撮像装置１からの高解像度画像を、低解像度画像のＨＤフォーマットに変換する例について説明した。実施例２では、付加情報に送信元の撮像装置のＩＰアドレスと連携機器情報とが含まれる（図５Ｂ）ことを説明したが、本実施例ではさらに付加情報に信号フォーマット情報が含まれる。
【００４６】
取得部２３１は、関連映像データの付加情報からＩＰアドレス、連携機器情報及び信号フォーマット情報を取得する。
アイコン作成部２３２は、映像データと関連映像データに基づいて複数のアイコンを作成する。アイコン作成部２３２は、映像データ及び関連映像データの信号フォーマット情報からそれぞれの解像度を特定し、元の映像データの解像度との比較に応じて関連映像データのアイコンのサイズを決定する。元の映像データよりも関連映像データの解像度が低い場合、アイコン作成部２３２は、関連映像データのアイコンのサイズを元の映像データのアイコンよりも小さくする。本実施例では、アイコン作成部２３２は、関連映像データ（ＨＤ画像）のアイコンのサイズを、映像データ（４Ｋ画像）のアイコンのサイズよりも小さくする。
【００４７】
分類部２３３は、実施例２と同様の方法で映像データのグループ分けを行い、また、元の映像データと関連映像データとを関連付ける。
合成部２３４は、実施例２と同様の方法で複数のアイコンを合成した合成画像データを生成する。
表示制御部２３５は、合成画像データに基づいて表示装置４０に合成画像を表示させる。このとき、元の映像データのアイコン（他方の画像）よりも関連映像データのアイコン
の方が小さい状態で表示されるため、関連映像データの方が元の映像データよりも解像度が低いことが一目で判別できる。
【００４８】
図７は、合成画像の表示例を示す第３の図である。映像９は、撮像装置１から撮像制御装置７を介して送信された関連映像データのアイコンである。図７は、図６Ｂと同様に映像１のアイコンの横に映像９のアイコンが表示される。関連映像データに対応する映像９のアイコンは、映像データに対応する映像１のアイコンよりも小さいサイズで表示される。このように、受信画像の解像度に応じてアイコンのサイズを変えることで、画像の内容が同じで解像度が異なる画像を複数受信した場合においても、解像度の高い画像のアイコンと低い画像のアイコンとを視覚的に判別可能に表示できる。
【００４９】
また、アイコン作成部２３２は、映像データの解像度に応じてアイコンの画像の精細度を変更してもよい。アイコン作成部２３２は、例えば、映像データの解像度が比較的高い場合、空間ローパスフィルターの係数の値を比較的低い値に設定し、アイコンの画像に対して空間ローパスフィルターを適用する。一方で、アイコン作成部２３２は、映像データの解像度が比較的低い場合、空間ローパスフィルターの係数の値を比較的高い値に設定し、アイコンの画像に対して空間ローパスフィルターを適用する。これにより、アイコンの画像を映像データの解像度に応じた精細度とすることができ、解像度の高い画像のアイコンと低い画像のアイコンとを視覚的に判別可能に表示できる。なお、空間ローパスフィルターの係数が高いほど、空間ローパスフィルターが適用される画像から細い線が消え、画像の精細度が低下する。
【００５０】
また、アイコン作成部２３２は、映像データのフレームレートに応じてアイコンに表示される映像の滑らかさを変更してもよい。
本実施例では、通常時はアイコンに映像データの１シーンを示す静止画が表示されている状態となっており、アイコン上にカーソルを移動させた場合にアイコンの動画が再生されるものとする。また、撮像装置１からは１２０Ｈｚの映像データが配信され、一方で撮像制御装置７からは６０Ｈｚの映像データに変換された関連映像データが配信されるものとする。
【００５１】
アイコン作成部２３２は、関連映像データのフレームレートが元の映像データと比べて低い場合に、関連映像データに基づいて作成した通常のアイコンのフレーム画像の中に黒色のフレーム画像を挿入してもよい。すなわち、アイコンの動画を再生する時に黒色のフレーム画像が定期的に表示されるようにしてもよい。これにより、映像がちらついて見える（フリッカする）ようになり、フレームレートが落ちたような視覚効果が得られ、フレームレートが低い映像データを判別できるようになる。
また、アイコン作成部２３２は、映像データのフレームレートが比較的低い場合、アイコンの映像の再生時に紙がめくれるような映像処理を付加してもよい。
以上のようにアイコンの画像を処理することで、受信画像の解像度やフレームレートを視覚的に判別することができる。なお、関連映像データのアイコンの画像を処理する例について説明したが、これに限定されず、各撮像装置から直接送信される映像データのアイコンに対しても、解像度又はフレームレートに応じて上述の処理を行ってもよい。
【００５２】
＜実施例４＞
本実施例では、映像データの送信元の機器の機種が判別可能なユーザインタフェースについて説明する。
図８は、実施例４の画像処理システム４００の全体構成の例を示す図である。ＬＡＮ２０’にサーバ装置６が含まれることを除き、システム構成は実施例１の画像処理システム１００と同じである。
図８の例では、例えば、ＬＡＮ２０’の撮像装置３〜５からリアルタイム映像を配信し
、撮影の合間にサーバ装置６からコマーシャル映像を読み出して配信する場合を想定している。サーバ装置６は、コマーシャルの映像データを保存しておくためのストレージを備えており、適宜、ストレージから映像データを読み出して外部機器に送信する。したがって、本実施例では、撮像装置３〜５から配信される映像データと、サーバ装置６から配信される映像データとが同じＬＡＮ２０’から配信されるが、映像の内容が全く異なることを想定している。
【００５３】
撮像装置１〜５及びサーバ装置６から送信される映像信号のデータ構造は、実施例１の図２Ｂ等と同じであるが、付加情報に機器種別情報が追加される点で実施例１と異なる。
分類部２３３は、付加情報のＩＰアドレスに基づいてＬＡＮ毎にグループ分けし、さらに機器種別情報に基づいて映像データを送信元機器の機種毎にグループ分けし、グループ情報を生成する。本実施例では、同じＬＡＮに含まれる装置であっても、機種が異なる場合、異なるグループに分類されることになる。
図８の例では、ＬＡＮ１０に含まれる撮像装置１及び２のグループ１と、ＬＡＮ２０’に含まれる撮像装置３〜５のグループ２と、サーバ装置６のグループ３とに分類される。
合成部２３４は、グループ情報に基づいてグループ別にアイコンが表示されるように、複数のアイコンを合成した合成画像データを生成し、表示制御部２３５に出力する。
【００５４】
図９は、合成画像の表示例を示す第４の図である。実施例１の図３Ａの合成画像の例と比較して、サーバ装置６から送信された映像データに基づいて生成された映像６のアイコンが表示されている点で異なる。図９の例において、サーバ装置６のアイコンの映像６は、同じＬＡＮ２０’に属する撮像装置３〜５のアイコンの映像３〜５とは、別のグループとして表示される。また、映像６のアイコンには枠９０１が表示される。
このように、同じネットワーク内に異なる機種が接続されている場合にも、ユーザインタフェースで画像の送信元の機種を判別することができる。したがって、同じネットワーク内の他の機器と異なる機種の機器から画像が配信される場合に、画像の混同を抑制することができる。
【００５５】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。例えば、付加情報に機器種別情報と連携機器情報とが含まれる場合に、画像処理装置３０は、機器種別情報に基づいて機器の種別毎に分けて合成画像として表示してもよい。さらに、画像処理装置３０は、合成画像において、連携機器情報に基づいて関連画像データのアイコンを元の画像データのアイコンに一部重ねて表示するなど関連付けて表示してもよい。
【００５６】
また、上述の実施形態の機能を実現するソフトウェアのプログラムを、記憶媒体から直接、或いは有線／無線通信を用いてプログラムを実行可能なコンピュータを有するシステム又は装置に供給し、そのプログラムを実行する場合も本発明に含む。
従って、本発明の機能処理を装置で実現するために、該装置に供給、インストールされるプログラムコード自体も本発明を実現するものである。つまり、本発明の機能処理を実現するためのプログラム自体も本発明に含まれる。
その場合、プログラムの機能を有していれば、オブジェクトコード、インタプリタにより実行されるプログラム、ＯＳに供給するスクリプトデータ等、プログラムの形態を問わない。
【００５７】
プログラムを供給するための記憶媒体としては、例えば、ハードディスク、磁気テープ等の磁気記憶媒体、光／光磁気記憶媒体、不揮発性の半導体メモリでもよい。
また、プログラムの供給方法としては、ネットワーク上のサーバに本発明を形成するプログラムを記憶し、接続のあったクライアントコンピュータがコンピュータプログラムをダ
ウンロードして実行するような方法も考えられる。
【符号の説明】
【００５８】
１〜５：撮像装置、８：ネットワーク、１０，２０：ＬＡＮ、３０：画像処理装置、４０：表示装置、１００：画像処理システム、２３０：入力部、２３１：取得部、２３２：アイコン作成部、２３３：分類部、２３４：合成部、２３５：表示制御部、２３６：生成部
【図１】
2019145921.tif 000003
【図２】
2019145921.tif 000004
【図３】
2019145921.tif 000005
【図４】
2019145921.tif 000006
【図５】
2019145921.tif 000007
【図６】
2019145921.tif 000008
【図７】
2019145921.tif 000009
【図８】
2019145921.tif 000010
【図９】
2019145921.tif 000011